(57)【要約】ネットワーク状態情報（ＣＳＩ）を提供するユーザ装置（ＵＥ）によって実行される方法が、とりわけ開示されている。本方法は、第一測定電力オフセットと第二測定電力オフセットという二つの測定電力オフセットをネットワークノードから受信することと、二つの測定電力オフセットのうちの一つを選択することと、ＣＳＩを演算して求めるために選択された測定電力オフセットを使用することと、ＣＳＩをネットワークノードへ送信することとを含む。
2015534298.tif 000002
【特許請求の範囲】
【請求項１】
チャネル状態情報（ＣＳＩ）をネットワークノード（１１００）に対して提供するユーザ装置（ＵＥ）（１０１）によって実行される方法であって、
第一測定電力オフセットと第二測定電力オフセットという二つの測定電力オフセットを前記ネットワークノード（１１００）から受信すること（１１０１）と、
前記二つの測定電力オフセットのうちの一つを選択すること（１００４）と、
ＣＳＩを推定するために前記選択された測定電力オフセットを使用すること（１００８、１０１０）と、
前記ＣＳＩを送信すること（１０１２）と
を有することを特徴とする方法。
【請求項２】
前記方法は、さらに、信号品質値、サービスタイプおよびデータレートのうちの一つ以上を決定すること（１００２）を有し、
前記二つの測定電力オフセットのうちの一つを選択することは、信号品質値、サービスタイプおよびデータレートのうちから決定された一つ以上のものに基づいて前記二つの測定電力オフセットのうちの一つを選択することを含むことを特徴とする請求項１に記載の方法。
【請求項３】
前記方法は、さらに、前記ネットワークノードから受信したインジケーションに基づいて前記二つの測定電力オフセットのうちの一つを選択することを有することを特徴とする請求項１または２に記載の方法。
【請求項４】
前記方法は、さらに、前記ＵＥがハイスピード共用制御チャネル（ＨＳ−ＳＣＣＨ）オーダーを受信すること（１００３）を有し、
前記二つの測定電力オフセットのうちの一つを選択することは、前記受信したＨＳ−ＳＣＣＨオーダーに基づいて前記二つの測定電力オフセットのうちの一つを選択することを含むことを特徴とする請求項１ないし３のいずれか１項に記載の方法。
【請求項５】
前記二つの測定電力オフセットは無線リソース制御（ＲＲＣ）メッセージを介して受信されることを特徴とする請求項１ないし４のいずれか１項に記載の方法。
【請求項６】
前記選択された測定電力オフセットを示す情報をネットワークノードに対して送信することをさらに有することを特徴とする請求項１ないし５のいずれか１項に記載の方法。
【請求項７】
データ記憶システム（１２０６）とデータ処理システム（１２０２）とを有するユーザ装置（ＵＥ）（１０１）であって、前記データ記憶システムは、前記データ処理システムによって実行可能なインストラクション（１２４３）を有しており、前記ＵＥは、
第一測定電力オフセットと第二測定電力オフセットという二つの測定電力オフセットをネットワークノード（１１００）から受信すること（１１０１）と、
前記二つの測定電力オフセットのうちの一つを選択すること（１００４）と、
チャネル状態情報（ＣＳＩ）を推定するために前記選択された測定電力オフセットを使用すること（１００８、１０１０）と、
前記ＣＳＩを送信すること（１０１２）と
を実行することを特徴とするユーザ装置。
【請求項８】
前記ＵＥは、さらに、信号品質値、サービスタイプおよびデータレートのうちの一つ以上を決定するように動作し（１００２）、
前記ＵＥは、信号品質値、サービスタイプおよびデータレートのうちから決定された一つ以上のものに基づいて前記二つの測定電力オフセットのうちの一つを選択することを実行するように動作することを特徴とする請求項７に記載のユーザ装置。
【請求項９】
前記ＵＥは、さらに、前記ネットワークノードから受信したインジケーションに基づいて前記二つの測定電力オフセットのうちの一つを選択することように動作することを特徴とする請求項７または８に記載のユーザ装置。
【請求項１０】
前記ＵＥは、さらに、前記選択された測定電力オフセットを示す情報をネットワークノード（１１００）に対して送信するように動作することを特徴とする請求項７ないし９のいずれか１項に記載のユーザ装置。
【請求項１１】
前記ＵＥは、さらに、前記ＵＥがハイスピード共用制御チャネル（ＨＳ−ＳＣＣＨ）オーダーを受信するように動作し、
前記ＵＥは、前記受信したＨＳ−ＳＣＣＨオーダーに基づいて前記二つの測定電力オフセットのうちの一つを選択することを実行するように動作する
ことを特徴とする請求項７ないし１０のいずれか１項に記載のユーザ装置。
【請求項１２】
測定電力オフセットをユーザ装置（ＵＥ）（１０１）に提供するネットワークノード（１１００）によって実行される方法であって、
第一スキーム（スキーム１）に基づいて第一測定電力オフセット（Γ１）を演算して求めること（１４０１）と、
第二スキーム（スキーム２）に基づいて第二測定電力オフセット（Γ２）を演算して求めること（１４０２）と、
前記Γ１と前記Γ２とを前記ＵＥに対して通知すること（１４０３）と
を有することを特徴とする方法。
【請求項１３】
前記Γ１と前記Γ２とを前記ＵＥに対して通知することは、第一時点で前記Γ１を含むメッセージを前記ＵＥに対して送信することと、第二時点で前記Γ２を含むメッセージを前記ＵＥに対して送信することとを含み、前記第二時点は前記第一時点とは異なるものであることを特徴とする請求項１２に記載の方法。
【請求項１４】
前記ＵＥは、ｉ）前記Γ１と前記Γ２のうちの一つを選択し、ｉｉ）前記選択された測定電力オフセットを使用してチャネル状態情報（ＣＳＩ）を演算して求めるように構成されており、
前記方法は、さらに、ｉ）前記ネットワークノードが前記ＵＥから前記演算により求められたＣＳＩを受信することと、ｉｉ）前記ネットワークノードが、前記ＵＥが前記ＣＳＩを求めるために使用した測定電力オフセットを判別することとを有することを特徴とする請求項１２または１３に記載の方法。
【請求項１５】
前記ＵＥに対してハイスピード共用制御チャネル（ＨＳ−ＳＣＣＨ）オーダーを送信すること（１４０４）をさらに有し、前記ＵＥは、前記Γ１と前記Γ２とのうちの一つを選択するためにＨＳ−ＳＣＣＨオーダーを使用するように構成されていることを特徴とする請求項１２ないし１４のいずれか１項に記載の方法。
【請求項１６】
ＣＳＩを決定するために前記Γ１と前記Γ２とのどちらを使用すべきかを一つ以上の基準に基づいて決定することと、
前記ＵＥが使用すべきである前記測定電力オフセットを決定した後で、前記決定された測定電力オフセットを示す情報を前記ＵＥに対して送信することと
をさらに有することを特徴とする請求項１２ないし１５のいずれか１項に記載の方法。
【請求項１７】
前記ＣＳＩを決定するために前記ＵＥが前記Γ１と前記Γ２とのどちらを使用すべきかを決定することは、ダウンリンクの信号品質、サービスタイプ、データレートのうちの一つ以上を決定することを含むことを特徴とする請求項１６に記載の方法。
【請求項１８】
前記ＵＥに対して前記Γ１と前記Γ２を通知する前記のステップは、前記Γ１と前記Γ２を含むメッセージを前記ＵＥに対して直接的に送信することを含むことを特徴とする請求項１２ないし１７のいずれか１項に記載の方法。
【請求項１９】
前記ＵＥに対して前記Γ１と前記Γ２を通知する前記のステップは、前記Γ１と前記Γ２を含むメッセージを無線ネットワーク制御装置（ＲＮＣ）に対して送信することを含み、
前記ＲＮＣは、前記ネットワークノードから前記Γ１と前記Γ２とを受信したことに応答して前記ＵＥに対して前記Γ１と前記Γ２とを送信するように構成されており、
前記ネットワークノードは基地局である
ことを特徴とする請求項１２ないし１８のいずれか１項に記載の方法。
【請求項２０】
前記スキーム１に基づいて前記第一測定電力オフセット（Γ１）を演算して求めることは、Γ１  ＝  ＰHSPDSCH  −  ＰCPICHを演算することを含み、
前記スキーム２に基づいて前記第二測定電力オフセット（Γ２）を演算して求めることは、Γ２  ＝  ＰHSPDSCH  −  ＰCPICH  −ＰDPICHを演算することを含み、
ＰHSPDSCHはハイスピード物理ダウンリンク共用チャネル（ＨＳ−ＰＤＳＣＨ）のトータルでの送信電力を示しており、
ＰCPICHは、ハイスピードダウンリンク共用チャネル（ＨＳ−ＤＳＣＨ）のＭＩＭＯ運用のために使用される共通パイロットのセットの合成送信電力を示しており、
ＰDPICHは、ＨＳ−ＤＳＣＨのＭＩＭＯ運用のために使用される復調パイロットのセットの合成送信電力を示している
ことを特徴とする請求項１２ないし１９のいずれか１項に記載の方法。
【請求項２１】
ネットワークノード（１１００）であって、データ記憶システム（１１０６）とデータ処理システム（１１０２）とを有しており、前記データ記憶システムは、前記データ処理システムによって実行可能なインストラクション（１１４３）を有しており、前記ネットワークノードは、
第一スキーム（スキーム１）に基づいて第一測定電力オフセット（Γ１）を演算して求めること（１４０１）と、
第二スキーム（スキーム２）に基づいて第二測定電力オフセット（Γ２）を演算して求めること（１４０２）と、
前記Γ１と前記Γ２とをＵＥに対して通知すること（１４０３）と
を実行するように動作することを特徴とするネットワークノード。
【請求項２２】
第一測定電力オフセット（Γ１）と第二測定電力オフセット（Γ２）をユーザ装置（ＵＥ）（１０１）に対して送信する第一ネットワークノードによって実行される方法であって、
第一スキーム（スキーム１）と第二スキーム（スキーム２）とにそれぞれ基づいて演算されて求められた前記Γ１と前記Γ２であって、前記Γ１と前記Γ２とを演算して求めた演算担当ノード（１０５、１０２）から前記Γ１と前記Γ２とを受信すること（１５０２）と、
前記Γ１と前記Γ２とをメッセージに含めること（１５０４）と、
前記ＵＥが前記Γ１と前記Γ２とを受信するよう前記メッセージを送信すること（１５０６）と
を有することを特徴とする方法。
【請求項２３】
前記演算担当ノードは、Γ１  ＝  ＰHSPDSCH  −  ＰCPICHを演算することによって、前記スキーム１に基づいて前記第一測定電力オフセット（Γ１）を演算して求め、
前記演算担当ノードは、Γ２  ＝  ＰHSPDSCH  −  ＰCPICH  −ＰDPICHを演算することによって、前記スキーム２に基づいて前記第二測定電力オフセット（Γ２）を演算して求め、
ＰHSPDSCHはハイスピード物理ダウンリンク共用チャネル（ＨＳ−ＰＤＳＣＨ）のトータルでの送信電力を示しており、
ＰCPICHは、ハイスピードダウンリンク共用チャネル（ＨＳ−ＤＳＣＨ）のＭＩＭＯ運用のために使用される共通パイロットのセットの合成送信電力を示しており、
ＰDPICHは、ＨＳ−ＤＳＣＨのＭＩＭＯ運用のために使用される復調パイロットのセットの合成送信電力を示している
ことを特徴とする請求項２２に記載の方法。
【請求項２４】
前記メッセージを送信することは、前記メッセージを受信した後で前記ＵＥに対して前記Γ１と前記Γ２とを送信するように構成された第二ネットワークノードに対して前記メッセージを送信することを含み、
前記第一ネットワークノードは第一の無線ネットワーク制御装置（ＲＮＣ）であり、
前記第二ネットワークノードは第二のＲＮＣであり、
前記演算担当ノードは基地局である
ことを特徴とする請求項２２または２３に記載の方法。
【請求項２５】
前記Γ１と前記Γ２は、Ｉｕｂインタフェース（１１７）を介して前記演算担当ノードから受信され、
前記メッセージは無線リソース制御（ＲＲＣ）メッセージである
ことを特徴とする請求項２２ないし２４のいずれか１項に記載の方法。
【請求項２６】
第一測定電力オフセット（Γ１）と第二測定電力オフセット（Γ２）をユーザ装置（ＵＥ）（１０１）に対して送信する第一ネットワークノード（１１００）であって、
前記Γ１と前記Γ２とを演算して求めた演算担当ノード（１０５、１０２）から前記Γ１と前記Γ２とを受信すること（１５０２）と、
前記Γ１と前記Γ２とをメッセージに含めること（１５０４）と、
前記ＵＥが前記Γ１と前記Γ２とを受信するよう前記メッセージを送信すること（１５０６）と
を実行するように適合していることを特徴とする第一ネットワークノード。
【請求項２７】
前記第一ネットワークノードは第一の無線ネットワーク制御装置（ＲＮＣ）であり、
前記演算担当ノードは基地局であり、
前記メッセージは無線リソース制御（ＲＲＣ）メッセージである
ことを特徴とする請求項２６に記載の第一ネットワークノード。
【請求項２８】
前記第一ネットワークノードは、前記メッセージを受信した後で前記ＵＥに対して前記Γ１と前記Γ２とを送信するように構成された第二ネットワークノードに対して前記メッセージを送信するように適合していることを特徴とする請求項２６または２７に記載の第一ネットワークノード。
【発明の詳細な説明】
【技術分野】
【０００１】
本開示の観点は、マルチアンテナ通信システムなど複数のパイロットを使用するネットワークにおいて測定電力オフセットを決定するシステムおよび方法に関連する。
【背景技術】
【０００２】
マルチプルインプット・マルチプルアウトプット（ＭＩＭＯ）はスペクトル効率を改善し、それによって全体的なシステムキャパシティを増加させる進化したアンテナ技術である。ＭＩＭＯ技術は一般的でかつ良く知られた表記である（ＭｘＮ）を使用するものであるが、これはＭＩＭＯの構成を、送信アンテナの数（Ｍ）と受信アンテナの数（Ｎ）とにより表現したものである。様々な技術について使用されているか、現時点で議論されている一般的なＭＩＭＯの構成は、（２ｘ１），  （１ｘ２），  （２ｘ２），  （４ｘ２），  （８ｘ２）および（８ｘ４）である。（２ｘ１）と（１ｘ２）により表現される構成はＭＩＭＯの特別なケースであり、これらは送信ダイバーシチと受信ダイバーシチにそれぞれ対応している。（２  ｘ  ２）構成はＷＣＤＭＡのリリース７で使用されており、（（４ｘ４），  （４ｘ２），  （４ｘ１））は第三世代パートナーシッププロジェクト（３ＧＰＰ）のリリース１１で定義されている。
【０００３】
現在のところ、ハイスピードダウンリンクパケットアクセス（ＨＳＤＰＡ）用の４Ｔｘ送信方式について３ＧＰＰの規格化において議論されている。過去のバージョンの規格では２ＴＸアンテナ送信までしかサポートされていなかった。４ＴｘのＭＩＭＯ送信をサポートするためには、各空間レイヤーの特徴を示す４チャネルの推定値を取得することが必要であり、これは新しいパイロット信号を定義することを必要とする。パイロットは二つの主な機能を必要とするが、これらは、チャネルサウンディングを通じたランクと、チャネル品質インジケータ（ＣＱＩ）（これはチャネル品質情報と呼ばれることもある）と、プリコーディングマトリックス（ＰＣＩ）とを含むチャネル状態情報（ＣＳＩ）の推定と、復調目的でのチャネル推定である。
【０００４】
４ブランチのＭＩＭＯについては、少なくとも二つの異なるアプローチが可能であり、（１）ＣＳＩとデータ復調のためのチャネル推定との両方について共通のパイロットを用いるアプローチと、（２）ＣＳＩ推定のための共通パイロットと、データ復調のためのチャネル推定用の追加のパイロットとを用いるアプローチである。
【０００５】
上述の説明において「共通パイロット」とはすべてのユーザによって利用されるパイロットを意味し、ユーザ個別のビームフォーミングを必要とせずに送信されるものである。
【０００６】
共通パイロットは、４ＴＸ送信を復調できないレガシー（旧来の）ユーザ（リリース７のＭＩＭＯやリリース９９）がスケジューリングされる場合にも送信されうる。これらのレガシーユーザは共通パイロットにおけるエネルギーを利用することができない。それにもかかわらず、追加の共通パイロットにおけるエネルギーは、これらのレガシーユーザに対するハイスピード物理ダウンリンク共用チャネル（ＨＳ−ＰＤＳＣＨ）スケジューリングについて利用可能なエネルギーの量を減少させるであろう。さらに、追加のパイロットは、これらのユーザに干渉を及ぼす。したがって、非４ＴＸユーザに対する性能上の影響を低減するために、共通パイロットのパワー（電力）は低い値へと低減可能であることが必須であろう。
【０００７】
ハイスピードダウンリンクパケットアクセス（ＨＳＤＰＡ）システムにおいて、ユーザ装置（ＵＥ）（例：通信デバイス）は、周期的にチャネル品質インジケータ（ＣＱＩ）を報告（レポート）しなければならない。この周期は高次のレイヤーによって設定される。チャネル品質レポートの目的で、ＵＥはパイロットのパワーと測定オフセット（別名：測定電力のオフセット）を知っていなければならない。
【０００８】
リリース７のＭＩＭＯ（２ｘ２）において、ＣＱＩレポートの目的で、ＵＥはＨＳ−ＰＤＳＣＨのトータルでのパワー（ＰHSPDSCH）を次の式によって仮定する。
ＰHSPDSCH  ＝  ＰCPICH  ＋  Γ      （ｄＢ）
ここでトータルでの送信パワーは、レポートされるＣＱＩ値に対応したＨＳ−ＰＤＳＣＨにわたって均一に分散しているものとし、測定電力オフセットΓ（つまりオフセット値）は高次レイヤーによってシグナリング（信号伝達）されるものとする。ＰCPICHは、ハイスピードダウンリンク共用チャネル（ＨＳ−ＤＳＣＨ）のＭＩＭＯ運用について使用されるＣＰＩＣＨ（例：プライマリＣＰＩＣＨと３つのセカンダリーＣＰＩＣＨ）のセットの合成送信電力を示している。
【０００９】
基地局（例：ノードＢ）は例示的な無線リソース制御（ＲＲＣ）メッセージについての高次のシグナリングを通じて測定電力オフセット情報を送信する。ユーザがスケジューリングされているときにＨＳ−ＰＤＳＣＨ電力はノードＢによって送信される電力に依存するため、ＴＴＩごとに実際の測定電力オフセットは変化しうる。ユーザはＴＴＩごとにスケジューリングされうる。オーバヘッドを削減するために、測定電力オフセットはＨＳＤＰＡのセッションの開始時点でシグナリングされることが好ましい。したがって、ノードＢは、現在または直近の測定電力オフセットとシグナリングされてきた測定電力オフセットとに基づいて実際のＣＱＩを再演算する。ノードＢは、シグナリングされる測定電力オフセットを把握する。４ブランチＭＩＭＯでは、２タイプのパイロットソリューションを使用することが決定された。各ケースにおいて、測定電力オフセットの演算は異なる。測定電力オフセットを決定し、この情報を伝達する新しい方法が必要とされている。
【発明の概要】
【００１０】
ここに開示されるものは、とりわけ、測定電力オフセットを演算し、この情報をＵＥに対して搬送することについての様々な実施形態である。様々な実施形態はミックスされた（混在した）パイロットのシナリオ、たとえば、共通パイロットとスケジューリングされた共通パイロットまたは復調共通パイロットのケースにおいて、使用されうる。
【００１１】
ある観点によれば、ネットワークノードによって実行される方法が提供される。いくつかの実施形態によれば、本方法は、測定電力オフセット（ＭＰＯ）を演算するために第一スキーム（スキーム１）または第二スキーム（スキーム２）とのいずれが使用されるべきかを決定する。いくつかの実施形態によれば、このステップは、決定された信号品質値（ＳＱＶ）が閾値（Ｔ）を超えているかどうかを判定することから構成されるか、これを含んでいる。いくつかの実施形態によれば、当該ステップは、ＵＥが推奨するスキーム（方式）がスキーム１またはスキーム２かを判定することから構成されているか、これを含む。スキーム１が選択されるべきと決定したこと（たとえば、ＳＱＶがＴを超えたと判定したこと）に応答して、ネットワークノードは、ＭＰＯを演算するためにスキーム１を使用する。あるいは、スキーム２が選択されるべきと決定したこと（たとえば、ＳＱＶがＴを超えていないと判定したこと）に応答して、ネットワークノードは、ＭＰＯを演算するためにスキーム２を使用する。ノードは演算により求めたＭＰＯを含むメッセージを（直接的または間接的に）ＵＥに対して送信する。
【００１２】
他の観点によれば、ネットワークノードが提供される。いくつかの実施形態によれば、ネットワークノードは、データ記憶システムとデータ処理システムとを有している。データ記憶システムは、データ処理システムによって実行可能なインストラクション（命令）を有し、これによりネットワークノードは、第一測定電力オフセットΓ１を第一スキームであるスキーム１に基づいて決定し、第二測定電力オフセットΓ２を第２スキームであるスキーム２に基づいて決定し、ＵＥに対してΓ１とΓ２とを通知するように動作する。
【００１３】
他の観点によれば、ＵＥに対して二つの測定電力オフセットとして第一測定電力オフセットΓ１と第二測定電力オフセットΓ２とを送信する第一ネットワークノードによって実行される方法が提供される。いくつかの実施形態によれば、本方法は、第一スキームであるスキーム１と第二スキームであるスキーム２とにそれぞれ基づいて演算されて求められるΓ１、Γ２を演算担当ノードから受信することと、無線リソース制御（ＲＲＣ）メッセージにΓ１とΓ２を含めることと、ＵＥに対してＲＲＣメッセージを送信することとを含む。
【００１４】
他の観点によれば、ＵＥに対して二つの測定電力オフセットとして第一測定電力オフセットΓ１と第二測定電力オフセットΓ２とを送信する第一ネットワークノードが提供される。いくつかの実施形態によれば、第一ネットワークノードは、Γ１、Γ２を演算する演算担当ノードからΓ１、Γ２を受信することと、無線リソース制御（ＲＲＣ）メッセージにΓ１とΓ２を搭載することと、ＵＥに向けてＲＲＣメッセージを送信することとを実行するように適合している。
【００１５】
他の観点によれば、ＵＥによって実行される方法が提供される。いくつかの実施形態によれば、本方法は、ネットワークノードから第一測定電力オフセット（ＭＰＯ１）と第二測定電力オフセット（ＭＰＯ２）とをＵＥが受信することを含む。ＵＥは、ＭＰＯ１とＭＰＯ２とのうち一つを選択する。いくつかの実施形態によれば、この選択は、決定したＳＱＶが閾値（Ｔ）を超えているかどうかに基づいて実行され、他の実施形態によれば、この決定は受信したＨＳ−ＳＣＣＨのオーダー（指令）に基づいて実行される。ＭＰＯ１を選択したことに応答してＵＥはＣＳＩ推定のためにＭＰＯ１を使用し、ＭＰＯ２については使用しない（たとえば、ＣＱＩ，ＰＣＩおよびＲＩのうちの一つ以上を決定するためにＭＰＯ１を使用する）。あるいは、ＭＰＯ２を選択したことに応答してＵＥはＣＳＩ推定のためにＭＰＯ２を使用し、ＭＰＯ１については使用しない（たとえば、ＣＱＩ，ＰＣＩおよびＲＩのうちの一つ以上を決定するためにＭＰＯ２を使用する）。次に、ＵＥはネットワークに対して、ＣＳＩ（例：ＣＱＩとＰＣＩとを特定したＣＳＩレポート）を送信する。ＵＥは、また、どの測定電力オフセット（すなわち、ＭＰＯ１，ＭＰＯ２）が選択されたかを示す情報（例：１ビットの情報）を含むメッセージをネットワークに送信してもよい。
【００１６】
他の観点によれば、ＵＥが提供される。いくつかの実施形態によれば、ＵＥは、データ記憶システムとデータ処理システムとを有し、データ記憶システムはデータ処理システムによって実行可能なインストラクションを記憶しており、これによってＵＥは第一測定電力オフセットと第二測定電力オフセットをネットワークノードから受信し、これらの二つの測定電力オフセットの一つを選択し、チャネル状態情報ＣＳＩを推定するために、選択された測定電力オフセットを使用し、ＣＳＩを送信するように動作する。
【００１７】
この開示のアドバンテージは、追加のパイロットを必要とすることから生じるレガシー端末での４ＴＸ ＭＩＭＯの影響をリーズナブルなレベルに維持できることである。同時に、ハイパワーのパイロットを端末に提供できるとともに、データ検出を助けられる。
【００１８】
上述した観点や他の観点、および、実施形態は添付の図面を参照しつつ以下で説明される。
【図面の簡単な説明】
【００１９】
添付の図面はここに取込まれ、明細書の一部を形成し、様々な実施形態を図解する。
【図１】共通パイロットデザインを使用したシステムを示す図
【図２】パイロット削減スキームの性能を示す図
【図３】４ｘ４ＭＩＭＯと４ｘ２ＭＩＭＯとについて異なる３つのＣ／Ｉを用いたＵＥのリンクレベルスループットを示す図
【図４】４ｘ４ＭＩＭＯと４ｘ２ＭＩＭＯとについて異なる３つのＣ／Ｉを用いたＵＥのリンクレベルスループットを示す図
【図５】他のデザインを使用したシステムを示す図
【図６】ＣＳＩ推定のための共通パイロットとデータ復調のためのスケジューリングされたパイロットとに基づいたソリューションについてのリンク性能を示す図
【図７】二つの異なるリンクアダプテーションアルゴリズムの性能を示す図
【図８】メッセージシーケンスチャートを示す図
【図９】ネットワークノードで実行されるいくつかの実施形態にしたがったプロセスを示すフローチャート
【図１０】ＵＥで実行されるいくつかの実施形態にしたがったプロセスを示すフローチャート
【図１１】いくつかの実施形態にしたがったネットワークノードのブロック図
【図１２】いくつかの実施形態にしたがったＵＥのブロック図
【図１３】通信システムの一例を示す図
【図１４Ａ】ネットワークノード（例：基地局）で実行されるいくつかの実施形態にしたがったプロセスを示すフローチャート
【図１４Ｂ】ネットワークノード（例：基地局）で実行されるいくつかの実施形態にしたがったプロセスを示すフローチャート
【図１５】ネットワークノード（例：ＲＮＣ）で実行されるいくつかの実施形態にしたがったプロセスを示すフローチャート
【発明を実施するための形態】
【００２０】
図１３を参照すると、図１３にはここで記述される方法を適用可能なネットワーク１００の一例が示されている。ネットワーク１００は、無線通信デバイス１００（ユーザ装置（ＵＥ）とも呼ばれうる）を、他のデバイスであり、パケットデータネットワーク１１０（例：インターネット）に接続したホスト１１２と通信できるようにする無線通信システムである。図示された例ででは、ネットワーク１００は、リレー（中継）ノード１０５と、基地局１０２（ノードＢとも呼ばれうる）と、無線ネットワーク制御装置（ＲＮＣ）１０６と、コアネットワーク１０７とを有している無線アクセスネットワーク（ＲＡＮ）を示している。
【００２１】
Ｉ．ＭＩＭＯシステムのためのパイロットデザインスキームの概要
上述したように、少なくとも二つのパイロットデザインスキームが意図されている。１）ＣＳＩ推定とデータ復調のための共通パイロット、２）ＣＳＩ推定のための共通パイロットと、プリコーディングを用いずにデータを復調するための追加のパイロット（スケジューリングされたパイロット、復調共通パイロット）。
【００２２】
１．ＣＳＩ推定とデータ復調のための共通パイロット
図１は共通パイロットデザインのシステムを示す図である。ノードＢ  １０２において送信機１９１は、既知のパイロットシンボルがチャネルサウンディング（チャネル測定）のために送信する。ＵＥ１０１において、受信機１９２は、パイロットシンボルを受信し、ＵＥはチャネルサウンディングからチャネル品質（典型的にはＳＩＮＲ）を決定し、次のダウンリンク送信のための好ましいプリコーディングマトリックスとＣＱＩとを演算して求める。この情報はフィードバックチャネル１７７を通じてノードＢへ搬送される。ノードＢはこの情報を処理し、プリコーディングマトリックス、変調方式およびいくつかのパラメータ（例：トランスポートブロックサイズなど）を決定し、この情報をＵＥに対してダウンリンク制御チャネルを介して搬送する。データはダウンリンク制御チャネルにおいて示された変調方式とコーディングレート（符号化率）を用いて送信される。データはアンテナポートへ渡される前に、プリコーディングベクトル／マトリクスを事前に乗算される。データ復調について、ＵＥの受信機１９２はデータ復調のために共通パイロットシンボルからチャネルを推定する。
【００２３】
共通パイロットだけのソリューションでは、追加のパイロットの電力を最小化しない限り、レガシーユーザに対してネガティブな影響が及ぶだろう。図２は、セクタごとに異なる数のユーザが存在するセクタの全体についてパイロット削減スキームの性能を示している。このシミュレーションでは、すべてユーザが二つの受信アンテナを用いるリリース７のＭＩＭＯを利用できるものと仮定している。第三、第四のパイロットによる追加の干渉は異なる電力レベルにあるものとする。第一、第二アンテナについてのパイロット電力はそれぞれ−１０ｄＢと−１３ｄＢに設定されている。図示されているように、追加のパイロットの電力が削減されているため、システムスループット性能への影響が減少している。たとえば、パイロット電力が−１９ｄＢ付近である場合、レガシーユーザに対する影響はほとんど無視できる。
【００２４】
しかし、電力を最小化すると、４ＴＸのユーザについての復調性能には不利な影響が出てしまう。図３や図４は、３つの異なるＣ／Ｉでの４ｘ４ＭＩＭＯと４ｘ２ＭＩＭＯについてのＵＥのリンクレベルスループットを示している。上述したように、共通パイロットで動作しているとき、第三、第四のパイロットで送信される電力は、レガシーユーザに対する影響を小さくするために、削減される必要がある。
【００２５】
第一、第二アンテナのパイロット電力をそれぞれ−１０ｄＢと−１３ｄＢに維持しつつ、第三、第四のアンテナについてのパイロット電力を削減したときの性能がプロットされている。図示されているように、パイロットの電力が削減されると、ＣＱＩとデータ復調のためのチャネル推定が低下するため、性能が低下する。この低下は、Ｃ／Ｉが低い領域よりもＣ／Ｉが高い領域でシビアなものとなる。なぜならこれは、高いＣ／Ｉでは、高い確率でランク３やランク４の送信が実行され、および／または、高速なデータレートとなるため、パイロット電力のためのエネルギー量を大きくしなければならないからである。一方で、データレートやランク選択が低ければ、これはＣ／Ｉが低いときに生じるため、より低いパイロットのエネルギー量（すなわち、より高いトラヒック対パイロット比）で復調することが可能となる。
【００２６】
いずれかの４ブランチＭＩＭＯユーザがスケジューリングされているときに追加のパイロットを導入することは追加のオーバヘッドをもたらすであろうし、すべてのシナリオで利点が生じないであろう。実際のところ、高いパイロット電力は、ＵＥが高いランクで高いデータレートの復調を試みようとするときに必要となる。
【００２７】
２．ＣＳＩ推定のための共通パイロットとデータを復調するための追加のパイロット
図５はこのスキームを示すシステム図である。共通パイロットのスキームと同様に、チャネルサウンディングのために既知のパイロットシンボルが使用され、ＵＥはフィードバックチャネルを通じて、好ましいプリコーディングマトリクスとＣＱＩを搬送する。ダウンリンクのデータ送信について、ノードＢは、この情報を使用し、プリコーディングマトリックス、ＣＱＩおよびトランスポートブロックサイズを選択する。データ送信について、データはノードＢによって選択されたプリコーディングマトリックスを乗算され、送信される。データに加えて、共通パイロットと同様に追加のパイロットはプリコーディングを施されずに、すべてのアンテナまたは一部のアンテナ（たとえば、第三、第四アンテナ）から高い電力でもって送信される。これらの追加のパイロットをスケジューリングされたパイロットと呼ぶことにする。これらの追加のパイロットを使用することで、ＵＥは、データ復調目的でチャネルを推定する。
【００２８】
図６は、ＣＳＩ推定のための共通パイロットとデータ復調のためのスケジューリングされたパイロットとに基づいたソリューションについてのリンク性能を示している。なお、理想的なチャネル推定では、スケジューリングされた共通パイロットソリューションの性能は、第三、第四アンテナで−１３ｄＢの場合、共通パイロットソリューションに対して、常に、劣ることになる。これは、これらのスケジューリングされたパイロットに割り当てられる追加の電力のためである。さらに、実際の推定について、スケジューリングされたパイロットの性能は、−１３ｄＢのパイロット電力の場合、共通パイロットソリューションに対して近いものとなる。ゆえに、このソリューションは、４ブランチＭＩＭＯシステムのリンク性能の観点から、魅力的である。
【００２９】
スケジューリングされたパイロットの性能ゲインは、低ないし中程度のジオメトリーにおいてはほとんど無視できる。ゆえに、スケジューリングされたパイロットは、すべてのジオメトリーについて要求されるものではない。
【００３０】
図６から、低から中程度のジオメトリー／データレートについては、リーズナブルな性能を得るために共通パイロットソリューションが十分であることを、理解できるであろう。追加のパイロットは、高いＳＮＲまたは高いデータレートのアプリケーションにおいてより必要とされる。高いデータレートのアプリケーションにおいてパイロット電力を削減することの影響を示すために、我々は、二つのリンクアダプテーション（ＬＡ）を用いない、[-10 -13 -19 -19] dBのパイロット電力についての４ｘ４ＭＩＭＯのリンク性能をプロットした。第一リンクアダプテーションアルゴリズムにおいてはすべての変調方式、つまり、ＱＰＳＫ、１６ＱＡＭおよび６４ＱＡＭが考慮され、一方で、第二リンクアダプテーションアルゴリズムにおいてはＱＰＳＫと１６ＱＡＭしか考慮されない。図７は、これらの二つのリンクアダプテーションアルゴリズムの性能を示している。完全推定の結果も示されている。低ないし中程度のジオメトリーで、二つのリンクアダプテーションの性能は同じであり、一方で、高いジオメトリーでは６４ＱＡＭを使用しないリンクアダプテーションアルゴリズムの性能がより良好である。従来のＬＡでの性能の低下は完全推定に対して約３３％であるが、改良されたＬＡでは約１６％である。
【００３１】
一つのソリューションは、共通パイロットに加えてスケジューリングされたパイロットの両方を使用することである。ノードＢはいくつかの基準に基づいて決定し、どのスキームを使用するかを決定する。ＵＥは、ハイスピードダウンリンク共用制御チャネル（ＨＳ−ＳＣＣＨ）の制御チャネルを調べることによって、または、いくつかのＨＳ−ＳＣＣＨのオーダーによってどのスキームが使用されるかを特定できる。
【００３２】
ＩＩ．復調パイロットについての情報搬送
シミュレーションの結果と議論によれば、ＣＳＩ推定のための共通パイロットが送信され、ノードＢにおいて利用可能なユーザ情報に基づいてデータ復調についての追加のパイロットが選択される。
【００３３】
ユーザ情報の一例は、ＣＳＩレポート（例：ＣＱＩ，ＰＣＩ，ＲＩなど）、一般的なユーザ信号品質、データレート、サービスタイプ（例：高速なデータレートを必要とするか否かなど）、ジオメトリー（例：隣接セルからの受信電力に対する自己のセルからの受信電力の比）などである。信号品質は、たとえば、ＤＬ信号の受信についてのＣＱＩ，ＳＩＮＲ，ＳＮＲ，ＢＬＥＲ，ＢＥＲ，ＡＣＫ／ＮＡＣＫや、ＣＰＩＣＨの測定値（ＣＰＩＣＨ ＲＳＣＰ、ＣＰＩＣＨ Ｅｃ／Ｎｏ）などによって表現可能である。たとえば、ユーザがセルの中心近くに存在する場合（高いジオメトリーゆえの高次の変調方式）、追加のパイロットがデータ復調のために送信可能である。あるいは、共通パイロットがデータ復調についても十分であろう。
【００３４】
図８は、メッセージのシーケンスチャートを示している。このケースでは、共通パイロット８０１はノードＢから継続的にＣＳＩ推定のために送信される。ＵＥは、チャネル状態情報として、チャネル品質インジケータ（ＣＱＩ）、プリコーディング制御インデックス（ＰＣＩ）およびランク情報（ＲＩ）をこれらのチャネルを通じて演算して求め、アップリンクフィードバックチャネル（ＨＳ−ＤＰＣＣＨ）においてこの情報８０２をレポートする。一度、ノードＢがこの情報を受信すると、ノードＢのスケジューラは共通パイロットが必要とされるのか、それとも復調のためにスケジューリングされたパイロットが必要とされるのかを決定する。これは、たとえば、一つ以上のＳＮＲ、ユーザの位置、割り当てられた変調方式および符号化レートなどに基づいて実行される。復調のためのパイロットが送信される必要がある場合、ネットワーク（例：ノードＢ）は、この情報を、ＨＳ−ＳＣＣＨオーダー８０３（例：復調用のパイロットをスイッチオン（有効化）するための特別のビットパターン）を使用するセパレートされたシグナリングを通じて搬送する。ＵＥがこのメッセージをデコードすることができれば、このオーダーに対するＡＣＫ８０４をフィードバックチャネル（ＨＳ−ＤＰＣＣＨ）を通じて送信する。データはＨＳ−ＤＰＣＣＨ８０５上で送信される。ＵＥは、ノードＢによって共通パイロットが再び使用されることを通知されるまで、復調のためにスケジューリングされたパイロットを使用することができる。
【００３５】
ＩＩＩ．測定電力オフセットを演算するための従来の方法
上述したように、ノードＢは、ＵＥにより報告されたＣＳＩ、実際のまたは直近の測定電力オフセットを使用し、現在の送信電力レベルと、シグナリングされた測定電力オフセット（つまり、ＣＳＩ測定のためにＵＥにシグナリングされた値）とに基づいて実際のＣＳＩを再度演算する。このセクションでは、我々は、どのようにしてノードＢが測定電力オフセット（Γ）を演算することができるかを説明する。リリース７のＭＩＭＯでは、ノードＢが次の式を用いて測定電力オフセットを演算する。
【００３６】
Γ  ＝  ＰHSPDSCH  −  ＰCPICH    （ｄＢ）
ここでＰHSPDSCHはノードＢでのトータルの送信電力であり、ＨＳ−ＰＤＳＣＨのコードにわたって均一に分散しているものとする。ＰCPICHはＨＳ−ＤＳＣＨのＭＩＭＯ運用のために使用されるＣＰＩＣＨのセット（プライマリのＣ−ＰＩＣＨと第二アンテナでのＳ−ＣＰＩＣＨ）の合成送信電力を指している。
【００３７】
ＵＥに対するこの測定電力オフセットの情報を搬送するために、ノードＢは無線リソース制御（ＲＲＣ）のシグナリングを使用する。
【００３８】
ＩＶ．測定電力オフセットを演算し、Ｉｕｂを介してシグナリングし、ＵＥに対してシグナリングする方法
Ａ．実施形態１
この実施形態は、少なくとも主にＵＥが在圏している無線ノードに実装されうる。たとえば、ＵＥが在圏しているリレーノード（たとえば、図１３のノード１０５を参照のこと）に実装されてもよいし、ＲＮＣ１０６に実装されてもよいし、リレーノードを制御するドナーノードに実装されてもよいし、他のネットワークノードに実装されてもよい。
【００３９】
図１３に示すように、リレーノード（ＲＮ）１０５は、ドナーノード１０２（ドナーノードＢ（ＤＮＢ）と呼ばれてもよい）への無線インタフェース１１７を介してネットワークに接続されている。ＤＮＢ１０２は、ＲＮ１０５へのバックホールトランスポートを提供しており、すべてのＵＥ１０１はＲＮ１０５に接続している。
【００４０】
この実施形態で、本方法は、一つ以上のクライテリア（基準）または条件に基づいて測定電力オフセット（ＭＰＯ）を演算することを含んでいる。たとえば、サービング（在圏）無線ノード（例：ノード１０２またはＲＮ１０５）は測定電力オフセットを演算するが、その際には（１）共通パイロットだけが使用されるときに提供される第一演算スキーム、または、（２）共通パイロットと復調パイロットとが使用されるときに提供される第２演算スキームが使用される。
【００４１】
本方法は、この実施形態にしたがって、ネットワークノード（例：ノードＢ／ＲＮ）に、少なくとも一つの基準（例：信号品質など）に基づいて測定電力オフセットを演算するためにスキームを適合させることを必要とする。
【００４２】
復調パイロットを使用するといった決定は、上述した一つ以上の基準（例：ダウンリンク信号品質、サービスのタイプ、データレートなど）に基づいていてもよい。ＤＬ信号品質はＵＥによりレポートされた測定値またはネットワークにおける推定値から決定可能である。
【００４３】
復調パイロットを使用すること、または、測定電力オフセットを演算するスキームを適合させることの決定は、また、ＵＥの推奨に基づいていてもよい。たとえば、測定電力オフセットを演算する３つのスキームは、事前に定義されてもよい（例：識別子の０と１によって表現される）。ＵＥは、適切な基準（たとえば、ＤＬ信号品質、データレート、サービスのタイプなど）に基づいて、ネットワークが第一演算スキーム（０）を使用すべきか、それとも第二演算スキーム（１）を使用すべきかをネットワークに対して推奨してもよい。ＵＥは、この推奨情報をＨＳ−ＤＰＣＣＨを介して、または、いずれかのチャネルを介して直接的にＣＳＩレポートを受信するノード（例：ノードＢ）に対して送信してもよい。ネットワーク（例：ノードＢ）は、自己のスキーム選択基準を使用するか、または、ＵＥの推奨情報、もしくは、自己の基準とＵＥの推奨情報との組み合わせのいくつかを使用し、測定電力オフセットを演算するために使用すべきスキームを決定する。
【００４４】
演算により求められた測定電力オフセットは、また、測定電力オフセットを演算して求めたノードによって他のノードへとシグナリングにより信号伝達されてもよい。演算担当ノードまたは他のノードは、ＵＥに対して、導出または演算により求められた測定電力オフセットをシグナリングする。たとえば、演算担当ノードまたは他のノードはノードＢ１０２とＲＮＣ１０６であってもよい。このケースでは、測定電力オフセットはノードＢとＲＮＣとの間でＩｕｂインタフェース１０７を介してシグナリングされる。さらに、このケースでは、ＲＮＣにおいて受信された測定電力オフセットはＲＲＣを使用してＵＥに対してシグナリングされる。他の例では、演算担当ノードは自ら測定電力オフセットをＵＥに対してシグナリングしてもよい（たとえば、ノードＢは測定電力オフセットをＵＥに対してメディアアクセス制御（ＭＡＣ）レイヤーを使用してシグナリングしてもよい）。本方法は、さらに、以下の例を通して図解される。
【００４５】
ＵＥが追加の復調パイロットを使用しないとき（つまり、ノードＢによってシグナリングされないとき）、測定電力オフセット（Γ）の演算値は、以下の式によって演算されてもよい。
【００４６】
Γ  ＝  ＰHSPDSCH  −  ＰCPICH    ｄＢ    （１）
ここで、ＰHSPDSCHはノードＢ側での送信電力のトータルであり、ＨＳ−ＰＤＳＣＨコードにわたって均一に配分されているものと仮定される。ＣＰＩＣＨはＨＳ−ＤＳＣＨのＭＩＭＯ運用のために使用されるＣＰＩＣＨのセット（プライマリのＣ−ＰＩＣＨと第二、第三、第四の送信アンテナでのＳ−ＣＰＩＣＨ）の合成送信電力を指している。
【００４７】
データ復調のために復調パイロットが使用されるとき（たとえば、ノードＢが復調パイロットを使用すると決定したとき）、測定電力オフセット（Γ）は以下の式によって演算されうる。
【００４８】
Γ  ＝  ＰHSPDSCH  −  ＰCPICH  −ＰDPICH    ｄＢ    （２）
ここで、ＰHSPDSCHはノードＢ側での送信電力のトータルであり、ＨＳ−ＰＤＳＣＨコードにわたって均一に配分されているものと仮定される。ＰCPICHはＨＳ−ＤＳＣＨのＭＩＭＯ運用のために使用されるＣＰＩＣＨのセット（プライマリのＣ−ＰＩＣＨと第二の送信アンテナでのＳ−ＣＰＩＣＨ）の合成送信電力を指し、ＰDPICHはＨＳ−ＤＳＣＨのＭＩＭＯ運用のために使用されるＣＰＩＣＨのセット（第三、第四のアンテナでの復調パイロット）の合成送信電力を指している。上述の式において、復調パイロットは第三、第四のアンテナで使用されるものと仮定されている。
【００４９】
よって、このケースによれば、ノードＢは、ＲＮＣに対してと、ＲＮＣを介したＵＥに対してと、測定電力オフセットを２回ほどシグナリングしなければならない。一方は開始時に実行され、他方はノードＢがＨＳ−ＳＣＣＨのオーダーについてＡＣＫを取得したときに実行される。ＵＥは、ＣＳＩを推定するためにネットワーク（例：ＲＮＣ）から最も直近に受信した最新の測定電力オフセットを使用しなければならない
実際のＣＳＩを再演算するために、ノードＢはまたＣＳＩ推定のためにＵＥに対してシグナリングするために使用した測定電力オフセットと同じ方法を使用する。
【００５０】
したがって、いくつかの実施形態によれば、ノードＢまたは他のネットワークノードは、以下のプロセス９００（図９を参照のこと）を実行する。ステップ９０２で、ノードＢは、信号品質値（ＳＱＶ）を決定する（オプションステップ）。ステップ９０４で、ノードＢは、測定電力オフセット（ＭＰＯ）を演算するために、第一スキームと第二スキームのいずれを使用すべきかを決定する。いくつかの実施形態によれば、ステップ９０４は、ＳＱＶが閾値（Ｔ）を超えているかどうかをノードＢが判定することから構成されるか、これを含む。ステップ９０８で、第一スキーム（スキーム１）が選択されるべきと決定したこと（たとえば、ＳＱＶがＴを超えていると判定したこと）に応答して、ノードＢは、スキーム１を使用して、ＭＰＯを演算して求める。ステップ９１０で、第二スキーム（スキーム２）が選択されるべきと決定したこと（たとえば、ＳＱＶがＴを超えていないと判定したこと）に応答して、ノードＢは、スキーム２を使用して、ＭＰＯを演算して求める。ステップ９１２で、ノードＢは、ＵＥに対して（直接的または間接的に）演算して求めたＭＰＯを含むメッセージを送信する。
【００５１】
Ｂ．実施形態２
この実施形態は、１）ＵＥに対してサービスを提供している無線ノード（例：ノードＢ、リレーノード）、２）測定電力オフセットを受信したＵＥ、サービング（在圏）ノードおよびＵＥと通信する他のノード（例：ＲＮＣ、リレーノードを制御するドナーノード）を含む。この実施形態によれば、ネットワークは、ＣＳＩ推定のためにＵＥに対して二つの測定電力オフセットをシグナリングする。ＵＥは、一つ以上の基準に基づき、これらの測定電力オフセットの一つを選択し、選択した測定電力オフセットを（たとえば、ＣＳＩ推定のために）使用する。一つ以上の基準は、事前に定義されるか、ＵＥに対してシグナリングされるか、またはこれらの組み合わせが適用されうる。たとえば、基準は、信号品質（例：ＢＬＥＲ、ＳＩＮＲ、ＳＮＲなど）や、サービスタイプ（例：低データレート、高データレートなど）に基づくことができる。たとえば、基準は、信号品質が閾値を超えている場合に第一電力オフセットがＣＳＩ推定のためにＵＥによって使用され、信号品質が閾値を超えていない場合に第二電力オフセットがＣＳＩ推定のためにＵＥによって使用されるといったものである。信号品質の観点による閾値は、事前に定義されてもよいし、ＵＥに対してシグナリングされてもよい。
【００５２】
したがって、ＵＥは、プロセス１０００（図１０を参照のこと）を実行し、ネットワークノード１０２、１０５、１０６はプロセス１４００（図１４を参照のこと）を実行しうる。
【００５３】
ここでプロセス１０００（図１０）を参照すると、ステップ１００１でＵＥは第一測定電力オフセット（ＭＰＯ１）と第二測定電力オフセット（ＭＰＯ２）とを受信する。ステップ１００２（オプション）でＵＥは、信号品質値（ＳＱＶ）（すなわち、信号品質を示す値）、サービスタイプおよびデータレートのうちの一つ以上を決定する。ステップ１００３（オプション）でＵＥはＨＳ−ＳＣＣＨオーダーを受信する。ステップ１００４でＵＥは、決定したＳＱＶ，サービスタイプおよび／またはデータレートに基づいてＭＰＯ１またはＭＰＯ２のどちらを選択すべきかを決定する。たとえば、いくつかの実施形態によれば、ステップ１００４は、ＳＱＶが閾値（Ｔ）を超えているかどうかをＵＥが判定することから構成されているか、またはこれを含む。いくつかの実施形態によれば、ステップ１００４は受信したＨＳ−ＳＣＣＨオーダーに基づいてＭＰＯ１またはＭＰＯ２のどちらを選択すべきかをＵＥが決定することから構成されているか、またはこれを含む。ステップ１００８で、ＭＰＯ１が選択されるべきことを決定したこと（たとえば、ＳＱＶがＴを超えていると判定したこと）に応答して、ＵＥは、ＭＰＯ１を選択し、ＣＳＩ推定のためにＭＰＯ１を使用し、ＭＰＯ２については使用しない（たとえば、ＭＰＯ１を使用してＣＱＩ，ＰＩＣおよびＲＩのうちの一つ以上を決定する）。ステップ１０１０で、ＭＰＯ２が選択されるべきことを決定したこと（たとえば、ＳＱＶがＴを超えていないと判定したこと）に応答して、ＵＥは、ＭＰＯ２を選択し、ＣＳＩ推定のためにＭＰＯ２を使用し、ＭＰＯ１については使用しない（たとえば、ＭＰＯ２を使用してＣＱＩ，ＰＩＣおよびＲＩのうちの一つ以上を決定する）。ステップ１０１２で、ＵＥは、ＣＳＩレポート（たとえば、ＣＱＩやＰＣＩを特定するメッセージ）をネットワークに対して送信する。ステップ１０１４（オプション）で、ＵＥは、どの電力オフセットが選択されたかを示すメッセージをネットワークに対して送信してもよい。
【００５４】
図１０に示したように、この実施形態のいくつかの観点によれば、ＵＥは、レポートされるＣＳＩを推定するために使用された、選択された電力測定オフセット（つまり、第一または第二のもの）をネットワークに対してレポートしてもよい。たとえば、二つのオフセットを示す表現は予め定義可能であり、識別子の０と１によって（つまり１ビットで）それぞれ表現可能である。たとえば、第一測定電力オフセットが使用された場合、ＵＥは報告したＣＳＩについて第一測定電力オフセットを使用していたことを示してもよい。このインジケーションは、ＣＳＩレポートに加えて、少なくとも１ビットのシグナリングを必要とする。これによりネットワーク（例：ノードＢ）は実際のＣＳＩを演算するために同一の電力オフセットを使用することが可能となる。ネットワークノード（例：ＲＮＣ）は、ＣＳＩ推定のためにＵＥが使用した電力オフセットをＵＥが通知する必要があるかどうかを設定してもよい。
【００５５】
この実施形態のいくつかの観点によれば、たとえば、ノードＢとＲＮＣとの間や、リレーノードとドナーノード（別名：制御ノード）との間など、ネットワークノード間での二つの測定電力オフセットのシグナリングが必要とされてもよい。たとえば、ノードＢはＩｕｂインタフェースを介してＲＮＣに対して二つのオフセットをシグナリングしてもよい。そして、ＲＮＣは、受信した値をＲＲＣを介してＵＥに対してシグナリングしてもよい。ＲＮＣは、これらの値を、ＵＥへのシグナリングを担当している他のＲＮＣに対してシグナリングしてもよい。これは以下で説明される。
【００５６】
ここでプロセス１４００（図１４）を参照し、ステップ１４０１でネットワークノード（例：ノードＢ）は、第一測定電力オフセット（ＭＰＯ１，別名はΓまたはΓ１）を演算して求める。
【００５７】
ステップ１４０２で、ネットワークノードは第二測定電力オフセット（ＭＰＯ２，別名はΓ１またはΓ２）を演算して求める。
【００５８】
ステップ１４０３で、ネットワークノードは、直接的または間接的（たとえばＲＮＣを介して間接的に）のどちらかによって、ＵＥに対して、ＭＰＯ１とＭＰＯ２を通知する。どちらのケースでも、測定電力オフセットはそれぞれＭＡＣメッセージとＲＲＣメッセージを用いてシグナリングされてもよい。いくつかの実施形態によれば、ネットワークノードは、ＵＥに対してＭＰＯ２を通知した時刻と異なる時刻においてＵＥに対してＭＰＯ１を通知する。二つの測定電力オフセットは以下の式にしたがって演算される。
【００５９】
ＭＰＯ１  ＝  Γ１  ＝  ＰHSPDSCH  −  ＰCPICH      ｄＢ
ＭＰＯ２  ＝  Γ２  ＝  ＰHSPDSCH  −  ＰCPICH  −  ＰDPICH      ｄＢ
ここで、ＰHSPDSCHはノードＢ側での送信電力のトータルであり、ＨＳ−ＰＤＳＣＨコードにわたって均一に配分されているものと仮定される。ＰCPICHは、ＨＳ−ＤＳＣＨのＭＩＭＯ運用のために使用されるＣＰＩＣＨのセット（プライマリのＣ−ＰＩＣＨと第二、第三、第四の送信アンテナでのＳ−ＣＰＩＣＨ）の合成送信電力を指し、Γ１とΓ２を演算するためのものであり、これは第二のアンテナにおけるＰ−ＣＰＩＣＨと、Ｓ−ＣＰＩＣＨからなる。
【００６０】
一つの例をあげると、ネットワークノード（例：ノードＢ）は、ＵＥに対してＲＮＣを介し、二つの測定電力オフセット（ＭＰＯ１とＭＰＯ２）を間接的に送信する。
【００６１】
ここで図１４Ｂを参照すると、これはいくつかの実施形態についてのプロセス１４５０を図示しており、ネットワークノードは、二つのＭＰＯのうちどちらを（ＭＰＯ１またはＭＰＯ２）ＵＥがＣＳＩを演算するために使用すべきかを、一つ以上の基準（例：ダウリンクの信号品質、サービスタイプ、データレート）に基づき決定し、ＵＥに対して上述したＨＳ−ＳＣＣＨオーダーを送信するが、ＨＳ−ＳＣＣＨオーダーはＵＥがＣＳＩを演算するために使用すべきものとしてネットワークノードが決定したものがどの測定電力オフセットであるかを示している（ステップ１４０４）。上述したように（図１０を参照のこと）、ＵＥが使用すべきものとして選択したＭＰＯ（つまり、ＭＰＯ１またはＭＰＯ２）は、いくつかの条件や基準に依存して（たとえば信号品質に基づいて）決定されてもよい。
【００６２】
ＵＥは選択された測定電力オフセットに基づいてＣＳＩを演算して求め、求められたＣＳＩをネットワークノードに報告する。ＵＥはまた、報告したＣＳＩを推定するためにどの電力オフセットが使用されたかについてネットワークに対して通知してもよい。次に、ステップ１４０５で、ネットワークノードは、ＵＥによって決定されたＣＳＩと、ＵＥがＣＳＩを決定するために使用したＭＰＯを識別するための情報（例：単一ビット）を受信する。ステップ１４０６で、ネットワークノードは、ＵＥによってＣＳＩ推定を実行するために使用されたＭＰＯを用いてＣＳＩを再度演算して求める。
【００６３】
ここで図１５を参照すると、図１５はＵＥに対して二つのＭＰＯ（ＭＰＯ１とＭＰＯ２）を通知する一つの実施形態のプロセスを示している。本プロセスはステップ１５０２から開始され、ＲＮＣ１０６は、Ｉｕｂインタフェース１０７を介してノードＢ１０２（演算担当ノード）から測定電力オフセット（つまり、ＭＰＯ１とＭＰＯ２）を受信し、これはプロセス１４００を用いて説明したようにノードＢ１０２によって演算して求められたものである。ステップ１５０４で、ＲＮＣ１０６は、二つの測定電力オフセットを含むメッセージを送信する（つまり、メッセージは、ＵＥ１０１が二つのＭＰＯを受信できるように、送信される）。たとえば、ある実施形態では、メッセージは、ＵＥに対して基地局を介して送信される。他の実施形態によれば、メッセージは、二つのＭＰＯをＵＥ１０１に対して送信する他のＲＮＣ（図示略）に送信される。
【００６４】
ここで図１１を参照すると、図１１はいくつかの実施形態によるネットワークノード１１００（例：基地局１０２、リレー１０５、ＲＮＣ１０６）のブロック図である。図１１が示すように、ネットワークノード１１００は、データ処理システム１１０２とデータ記憶システム１１０６とを有し、データ処理システム１１０２は、マイクロプロセッサおよび／または特定用途集積回路（ＡＳＩＣ）、フィールドプログラマブルゲートアレイ（ＦＰＧＡ）などの一つ以上の回路を有した一つ以上のデータ処理デバイスを備えうるものであり、データ記憶システム１１０６は、不揮発性の記憶デバイスおよび／または揮発性の記憶デバイス（例：ランダムアクセスメモリ（ＲＡＭ））など一つ以上のコンピュータ可読媒体を有しうる。ネットワークノード１１００はデータを無線により送受信するトランシーバ（通信部）１１０５と、ネットワークノード１１００をネットワーク１１０（例：インターネットプロトコル（ＩＰ）ネットワーク）へ接続するネットワークインタフェース１１１１とを有しうる。
【００６５】
いくつかの実施形態によれば、データ処理システム１１０２がマイクロプロセッサを含む場合、コンピュータプログラムプロダクトも提供され、このコンピュータプログラムプロダクトは、コンピュータ可読プログラムコード１１４３（つまり、インストラクション）を有し、これはコンピュータプログラムを形成するものであり、磁気媒体（例：ハードディスク）、光学媒体（例：ＤＶＤ）、メモリデバイス（例：ランダムアクセスメモリ）など（これらのみに限定されるわけではない）のコンピュータ可読媒体１１４２に記憶される。いくつかの実施形態によれば、コンピュータ可読プログラムコード１１４３は、データ処理システム１１０２によって実行されるときにコード１１４３によってネットワークノード１１００にここに記述されたステップ（たとえば、図９、図１４Ａ，図１４Ｂと関連したフローチャートおよび／または説明により示された一つ以上のステップ）を実行させるように構成されている。いくつかの実施形態によれば、ネットワークノード１１００は、ここに記述されたステップを、コード１１４３を必要とすることなく実行するように構成されていてもよい。たとえば、データ処理システム１１０２は、一つ以上の特定用途集積回路（ＡＳＩＣ）などの専用のハードウエアを備えてもよい。よって、上述した本発明の特徴は、ハードウエアおよび／またはソフトウエアによって実装されうる。たとえば、いくつかの実施形態によれば、上述したネットワークノード１１００の機能コンポーネントは、コンピュータインストラクション１１４３を実行するデータ処理システム１１０２、いずれかのコンピュータインストラクション１１４３とは無関係に動作するデータ処理システム１１０２、または、ハードウエアおよび／またはソフトウエアのいずれかの適切な組み合わせによって実装されてもよい。
【００６６】
ここで図１２を参照するが、図１２はいくつかの実施形態にしたがったＵＥ１０１のブロック図である。図１２に示したように、ＵＥ１０１は、データ処理システム１２０２、データ記憶システム１２０６およびトランシーバ（通信部）１２０５を有し、データ処理システム１２０２は、マイクロプロセッサおよび／または特定用途集積回路（ＡＳＩＣ）、フィールドプログラマブルゲートアレイ（ＦＰＧＡ）などの一つ以上の回路を有した一つ以上のデータ処理デバイスを備えうるものであり、データ記憶システム１２０６は、不揮発性の記憶デバイスおよび／または揮発性の記憶デバイス（例：ランダムアクセスメモリ（ＲＡＭ））など一つ以上のコンピュータ可読媒体を有しうる。ネットワークノード１１００はデータを無線により送受信するトランシーバ（通信部）１１０５と、ネットワークノード１１００をネットワーク１１０（例：インターネットプロトコル（ＩＰ）ネットワーク）へ接続するネットワークインタフェース１１１１とを有しうるものであり、トランシーバ１２０５は、データを基地局（基地局１０２または１０５）に送信するもの（また、基地局からデータを受信するもの）である。
【００６７】
いくつかの実施形態によれば、データ処理システム１２０２がマイクロプロセッサを含む場合、コンピュータプログラムプロダクトも提供され、このコンピュータプログラムプロダクトは、コンピュータ可読プログラムコード１２４３（つまり、インストラクション）を有し、これはコンピュータプログラムを形成するものであり、磁気媒体（例：ハードディスク）、光学媒体（例：ＤＶＤ）、メモリデバイス（例：ランダムアクセスメモリ）など（これらのみに限定されるわけではない）のコンピュータ可読媒体１２４２に記憶される。いくつかの実施形態によれば、コンピュータ可読プログラムコード１２４３は、データ処理システム１２０２によって実行されるときにコード１２４３によってＵＥ１０１にここに記述されたステップ（たとえば、図１０と関連したフローチャートおよび／または説明により示された一つ以上のステップ）を実行させるように構成されている。いくつかの実施形態によれば、ＵＥ１０１は、ここに記述されたステップを、コード１２４３を必要とすることなく実行するように構成されていてもよい。たとえば、データ処理システム１２０２は、一つ以上の特定用途集積回路（ＡＳＩＣ）などの専用のハードウエアを備えてもよい。よって、上述した本発明の特徴は、ハードウエアおよび／またはソフトウエアによって実装されうる。たとえば、いくつかの実施形態によれば、上述したＵＥ１０１の機能コンポーネントは、コンピュータインストラクション１２４３を実行するデータ処理システム１２０２、いずれかのコンピュータインストラクション１２４３とは無関係に動作するデータ処理システム１２０２、または、ハードウエアおよび／またはソフトウエアのいずれかの適切な組み合わせによって実装されてもよい。
【００６８】
上述したプロセスや図示されたプロセスは、複数のステップのシーケンスとして示されているが、これは図解の目的で提供されているにすぎない。よって、いつくかのステップが追加されたり、いくつかのステップが省略されたり、ステップの実行順番が変更されてもよいし、いくつかのステップが並列に実行されてもよい。
【図１】
2015534298.tif 000003
【図２】
2015534298.tif 000004
【図３】
2015534298.tif 000005
【図４】
2015534298.tif 000006
【図５】
2015534298.tif 000007
【図６】
2015534298.tif 000008
【図７】
2015534298.tif 000009
【図８】
2015534298.tif 000010
【図９】
2015534298.tif 000011
【図１０】
2015534298.tif 000012
【図１１】
2015534298.tif 000013
【図１２】
2015534298.tif 000014
【図１３】
2015534298.tif 000015
【図１４Ａ】
2015534298.tif 000016
【図１４Ｂ】
2015534298.tif 000017
【図１５】
2015534298.tif 000018
【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
共通パイロットと復調パイロットとが使用される４ＴＸ ＭＩＭＯシステムにおいて、チャネル状態情報（ＣＳＩ）をネットワークノード（１１００）に対して提供するユーザ装置（ＵＥ）（１０１）によって実行される方法であって、
第一測定電力オフセットと第二測定電力オフセットという二つの測定電力オフセットを前記ネットワークノード（１１００）から受信すること（１１０１）と、
前記二つの測定電力オフセットのうちから一つを選択すること（１００４）と、
ＣＳＩを推定するために前記選択された測定電力オフセットを使用すること（１００８、１０１０）と、
前記ＣＳＩを送信すること（１０１２）と
を有することを特徴とする方法。
【請求項２】
前記方法は、さらに、信号品質値、サービスタイプおよびデータレートのうちの一つ以上を決定すること（１００２）を有し、
前記二つの測定電力オフセットのうちの一つを選択することは、信号品質値、サービスタイプおよびデータレートのうちから決定された一つ以上のものに基づいて前記二つの測定電力オフセットのうちの一つを選択することを含むことを特徴とする請求項１に記載の方法。
【請求項３】
前記方法は、さらに、前記ネットワークノードから受信したインジケーションに基づいて前記二つの測定電力オフセットのうちの一つを選択することを有することを特徴とする請求項１または２に記載の方法。
【請求項４】
前記方法は、さらに、前記ＵＥがハイスピード共用制御チャネル（ＨＳ−ＳＣＣＨ）オーダーを受信すること（１００３）を有し、
前記二つの測定電力オフセットのうちの一つを選択することは、前記受信したＨＳ−ＳＣＣＨオーダーに基づいて前記二つの測定電力オフセットのうちの一つを選択することを含むことを特徴とする請求項１ないし３のいずれか１項に記載の方法。
【請求項５】
前記二つの測定電力オフセットは無線リソース制御（ＲＲＣ）メッセージを介して受信されることを特徴とする請求項１ないし４のいずれか１項に記載の方法。
【請求項６】
前記選択された測定電力オフセットを示す情報をネットワークノードに対して送信することをさらに有することを特徴とする請求項１ないし５のいずれか１項に記載の方法。
【請求項７】
共通パイロットと復調パイロットとが使用される４ＴＸ ＭＩＭＯシステムにおいて使用され、データ記憶システム（１２０６）とデータ処理システム（１２０２）とを有するユーザ装置（ＵＥ）（１０１）であって、前記データ記憶システムは、前記データ処理システムによって実行可能なインストラクション（１２４３）を有しており、前記ＵＥは、
第一測定電力オフセットと第二測定電力オフセットという二つの測定電力オフセットをネットワークノード（１１００）から受信すること（１１０１）と、
前記二つの測定電力オフセットのうちから一つを選択すること（１００４）と、
チャネル状態情報（ＣＳＩ）を推定するために前記選択された測定電力オフセットを使用すること（１００８、１０１０）と、
前記ＣＳＩを送信すること（１０１２）と
を実行することを特徴とするユーザ装置。
【請求項８】
前記ＵＥは、さらに、信号品質値、サービスタイプおよびデータレートのうちの一つ以上を決定するように動作し（１００２）、
前記ＵＥは、信号品質値、サービスタイプおよびデータレートのうちから決定された一つ以上のものに基づいて前記二つの測定電力オフセットのうちの一つを選択することを実行するように動作することを特徴とする請求項７に記載のユーザ装置。
【請求項９】
前記ＵＥは、さらに、前記ネットワークノードから受信したインジケーションに基づいて前記二つの測定電力オフセットのうちの一つを選択することように動作することを特徴とする請求項７または８に記載のユーザ装置。
【請求項１０】
前記ＵＥは、さらに、前記選択された測定電力オフセットを示す情報をネットワークノード（１１００）に対して送信するように動作することを特徴とする請求項７ないし９のいずれか１項に記載のユーザ装置。
【請求項１１】
前記ＵＥは、さらに、前記ＵＥがハイスピード共用制御チャネル（ＨＳ−ＳＣＣＨ）オーダーを受信するように動作し、
前記ＵＥは、前記受信したＨＳ−ＳＣＣＨオーダーに基づいて前記二つの測定電力オフセットのうちの一つを選択することを実行するように動作する
ことを特徴とする請求項７ないし１０のいずれか１項に記載のユーザ装置。
【請求項１２】
共通パイロットと復調パイロットとが使用される４ＴＸ ＭＩＭＯシステムにおいて、測定電力オフセットをユーザ装置（ＵＥ）（１０１）に提供するネットワークノード（１１００）によって実行される方法であって、
第一スキーム（スキーム１）に基づいて第一測定電力オフセット（Γ１）を演算して求めること（１４０１）と、
第二スキーム（スキーム２）に基づいて第二測定電力オフセット（Γ２）を演算して求めること（１４０２）と、
前記Γ１と前記Γ２とを前記ＵＥに対して通知すること（１４０３）と
を有することを特徴とする方法。
【請求項１３】
前記Γ１と前記Γ２とを前記ＵＥに対して通知することは、第一時点で前記Γ１を含むメッセージを前記ＵＥに対して送信することと、第二時点で前記Γ２を含むメッセージを前記ＵＥに対して送信することとを含み、前記第二時点は前記第一時点とは異なるものであることを特徴とする請求項１２に記載の方法。
【請求項１４】
前記ＵＥは、ｉ）前記Γ１と前記Γ２のうちの一つを選択し、ｉｉ）前記選択された測定電力オフセットを使用してチャネル状態情報（ＣＳＩ）を演算して求めるように構成されており、
前記方法は、さらに、ｉ）前記ネットワークノードが前記ＵＥから前記演算により求められたＣＳＩを受信することと、ｉｉ）前記ネットワークノードが、前記ＵＥが前記ＣＳＩを求めるために使用した測定電力オフセットを判別することとを有することを特徴とする請求項１２または１３に記載の方法。
【請求項１５】
前記ＵＥに対してハイスピード共用制御チャネル（ＨＳ−ＳＣＣＨ）オーダーを送信すること（１４０４）をさらに有し、前記ＵＥは、前記Γ１と前記Γ２とのうちの一つを選択するためにＨＳ−ＳＣＣＨオーダーを使用するように構成されていることを特徴とする請求項１２ないし１４のいずれか１項に記載の方法。
【請求項１６】
ＣＳＩを決定するために前記Γ１と前記Γ２とのどちらを使用すべきかを一つ以上の基準に基づいて決定することと、
前記ＵＥが使用すべきである前記測定電力オフセットを決定した後で、前記決定された測定電力オフセットを示す情報を前記ＵＥに対して送信することと
をさらに有することを特徴とする請求項１２ないし１５のいずれか１項に記載の方法。
【請求項１７】
前記ＣＳＩを決定するために前記ＵＥが前記Γ１と前記Γ２とのどちらを使用すべきかを決定することは、ダウンリンクの信号品質、サービスタイプ、データレートのうちの一つ以上を決定することを含むことを特徴とする請求項１６に記載の方法。
【請求項１８】
前記ＵＥに対して前記Γ１と前記Γ２を通知する前記のステップは、前記Γ１と前記Γ２を含むメッセージを前記ＵＥに対して直接的に送信することを含むことを特徴とする請求項１２ないし１７のいずれか１項に記載の方法。
【請求項１９】
前記ＵＥに対して前記Γ１と前記Γ２を通知する前記のステップは、前記Γ１と前記Γ２を含むメッセージを無線ネットワーク制御装置（ＲＮＣ）に対して送信することを含み、
前記ＲＮＣは、前記ネットワークノードから前記Γ１と前記Γ２とを受信したことに応答して前記ＵＥに対して前記Γ１と前記Γ２とを送信するように構成されており、
前記ネットワークノードは基地局である
ことを特徴とする請求項１２ないし１８のいずれか１項に記載の方法。
【請求項２０】
前記スキーム１に基づいて前記第一測定電力オフセット（Γ１）を演算して求めることは、Γ１  ＝  ＰHSPDSCH  −  ＰCPICHを演算することを含み、
前記スキーム２に基づいて前記第二測定電力オフセット（Γ２）を演算して求めることは、Γ２  ＝  ＰHSPDSCH  −  ＰCPICH  −ＰDPICHを演算することを含み、
ＰHSPDSCHはハイスピード物理ダウンリンク共用チャネル（ＨＳ−ＰＤＳＣＨ）のトータルでの送信電力を示しており、
ＰCPICHは、ハイスピードダウンリンク共用チャネル（ＨＳ−ＤＳＣＨ）のＭＩＭＯ運用のために使用される共通パイロットのセットの合成送信電力を示しており、
ＰDPICHは、ＨＳ−ＤＳＣＨのＭＩＭＯ運用のために使用される復調パイロットのセットの合成送信電力を示している
ことを特徴とする請求項１２ないし１９のいずれか１項に記載の方法。
【請求項２１】
共通パイロットと復調パイロットとが使用される４ＴＸ ＭＩＭＯシステムにおいて使用されるネットワークノード（１１００）であって、データ記憶システム（１１０６）とデータ処理システム（１１０２）とを有しており、前記データ記憶システムは、前記データ処理システムによって実行可能なインストラクション（１１４３）を有しており、前記ネットワークノードは、
第一スキーム（スキーム１）に基づいて第一測定電力オフセット（Γ１）を演算して求めること（１４０１）と、
第二スキーム（スキーム２）に基づいて第二測定電力オフセット（Γ２）を演算して求めること（１４０２）と、
前記Γ１と前記Γ２とをＵＥに対して通知すること（１４０３）と
を実行するように動作することを特徴とするネットワークノード。
【請求項２２】
共通パイロットと復調パイロットとが使用される４ＴＸ ＭＩＭＯシステムにおいて、第一測定電力オフセット（Γ１）と第二測定電力オフセット（Γ２）をユーザ装置（ＵＥ）（１０１）に対して送信する第一ネットワークノードによって実行される方法であって、
第一スキーム（スキーム１）と第二スキーム（スキーム２）とにそれぞれ基づいて演算されて求められた前記Γ１と前記Γ２であって、前記Γ１と前記Γ２とを演算して求めた演算担当ノード（１０５、１０２）から前記Γ１と前記Γ２とを受信すること（１５０２）と、
前記Γ１と前記Γ２とをメッセージに含めること（１５０４）と、
前記ＵＥが前記Γ１と前記Γ２とを受信するよう前記メッセージを送信すること（１５０６）と
を有することを特徴とする方法。
【請求項２３】
前記演算担当ノードは、Γ１  ＝  ＰHSPDSCH  −  ＰCPICHを演算することによって、前記スキーム１に基づいて前記第一測定電力オフセット（Γ１）を演算して求め、
前記演算担当ノードは、Γ２  ＝  ＰHSPDSCH  −  ＰCPICH  −ＰDPICHを演算することによって、前記スキーム２に基づいて前記第二測定電力オフセット（Γ２）を演算して求め、
ＰHSPDSCHはハイスピード物理ダウンリンク共用チャネル（ＨＳ−ＰＤＳＣＨ）のトータルでの送信電力を示しており、
ＰCPICHは、ハイスピードダウンリンク共用チャネル（ＨＳ−ＤＳＣＨ）のＭＩＭＯ運用のために使用される共通パイロットのセットの合成送信電力を示しており、
ＰDPICHは、ＨＳ−ＤＳＣＨのＭＩＭＯ運用のために使用される復調パイロットのセットの合成送信電力を示している
ことを特徴とする請求項２２に記載の方法。
【請求項２４】
前記メッセージを送信することは、前記メッセージを受信した後で前記ＵＥに対して前記Γ１と前記Γ２とを送信するように構成された第二ネットワークノードに対して前記メッセージを送信することを含み、
前記第一ネットワークノードは第一の無線ネットワーク制御装置（ＲＮＣ）であり、
前記第二ネットワークノードは第二のＲＮＣであり、
前記演算担当ノードは基地局である
ことを特徴とする請求項２２または２３に記載の方法。
【請求項２５】
前記Γ１と前記Γ２は、Ｉｕｂインタフェース（１１７）を介して前記演算担当ノードから受信され、
前記メッセージは無線リソース制御（ＲＲＣ）メッセージである
ことを特徴とする請求項２２ないし２４のいずれか１項に記載の方法。
【請求項２６】
共通パイロットと復調パイロットとが使用される４ＴＸ ＭＩＭＯシステムにおいて使用され、第一測定電力オフセット（Γ１）と第二測定電力オフセット（Γ２）をユーザ装置（ＵＥ）（１０１）に対して送信する第一ネットワークノード（１１００）であって、
前記Γ１と前記Γ２とを演算して求めた演算担当ノード（１０５、１０２）から前記Γ１と前記Γ２とを受信すること（１５０２）と、
前記Γ１と前記Γ２とをメッセージに含めること（１５０４）と、
前記ＵＥが前記Γ１と前記Γ２とを受信するよう前記メッセージを送信すること（１５０６）と
を実行するように適合していることを特徴とする第一ネットワークノード。
【請求項２７】
前記第一ネットワークノードは第一の無線ネットワーク制御装置（ＲＮＣ）であり、
前記演算担当ノードは基地局であり、
前記メッセージは無線リソース制御（ＲＲＣ）メッセージである
ことを特徴とする請求項２６に記載の第一ネットワークノード。
【請求項２８】
前記第一ネットワークノードは、前記メッセージを受信した後で前記ＵＥに対して前記Γ１と前記Γ２とを送信するように構成された第二ネットワークノードに対して前記メッセージを送信するように適合していることを特徴とする請求項２６または２７に記載の第一ネットワークノード。
【国際調査報告】
2015534298.tif 000019
2015534298.tif 000020
2015534298.tif 000021
2015534298.tif 000022